(57)【要約】【課題】適切な消耗品のみを許可認証することにより印刷品質の低下や装置故障を防止する。【解決手段】  インクカートリッジ１５０に記憶された消耗品記憶情報に基づいて、本体装置２により生成された第１の照合情報と、消耗品記憶情報に基づいて生成され、インクカートリッジ１５０のメモリ１５３に記憶されている第２の照合情報とを照合する第１照合手段と、本体装置２の取得情報に基づいて本体装置２により生成された第３の照合情報と、インクカートリッジ１５０の取得情報に基づいて生成されてインクカートリッジ１５０のメモリ１５３に記憶されている第４の照合情報とを照合する第２照合手段と、第１〜第２照合手段の照合結果が、いずれも一致すると判定された場合に、インクカートリッジ１５０を許可認証する認証手段１６と、を備え、第１〜第２の照合情報の組と、第３〜第４の照合情報の組との少なくとも一方の組は、動的情報である。【選択図】  図２
2017064984.tif 000002
【特許請求の範囲】
【請求項１】
内部にメモリを有し、印刷機に取り付けられる消耗品の認証を行う認証装置であって、
前記消耗品に記憶された消耗品記憶情報に基づいて、前記印刷機により生成された第１の照合情報と、前記消耗品記憶情報に基づいて生成され、前記メモリに記憶されている第２の照合情報とを照合する第１照合手段と、
前記印刷機の取得情報に基づいて前記印刷機により生成された第３の照合情報と、前記消耗品の取得情報に基づいて生成されて前記メモリに記憶されている第４の照合情報とを照合する第２照合手段と、
前記第１照合手段と前記第２照合手段との照合結果が、いずれも一致すると判定された場合に、前記消耗品を許可認証する認証手段と、を備え、
前記第１の照合情報と前記第２の照合情報との組と、前記第３の照合情報と前記第４の照合情報との組との少なくとも一方の組は、動的情報である
ことを特徴とする認証装置。
【請求項２】
前記消耗品記憶情報は、前記消耗品を特定するＩＤであり、
前記印刷機の取得情報と前記消耗品の取得情報とは、前記消耗品の残量情報である
ことを特徴とする請求項１に記載の認証装置。
【請求項３】
前記消耗品記憶情報と前記印刷機の取得情報と前記消耗品の取得情報とは、いずれも前記消耗品の残量情報である
ことを特徴とする請求項１に記載の認証装置。
【発明の詳細な説明】
【技術分野】
【０００１】
本発明は、適切な消耗品のみを許可認証することにより印刷品質の低下や装置故障を防止する認証装置に関する。
【背景技術】
【０００２】
印刷装置ではその印刷方式によってインクカートリッジや孔版原紙など様々な消耗品が着脱可能に設けられている。
【０００３】
例えば、インクジェット印刷装置では、消耗品として色ごとにインクが貯留されたインクカートリッジが着脱可能に設けてられており、インクカートリッジからインクジェットヘッドへインクが供給され、インクジェットヘッドのノズルからインクを印刷用紙に向けて吐出して画像や文字などを印刷する。
【０００４】
このとき、不適切なインクカートリッジがインクジェット印刷装置に装着されて使用されると、例えば、インクが凝集し、凝集したインクがノズルを閉塞させ吐出不良が発生したり、用紙に着弾したインクがにじみ、画像のエッジ不良などが発生したりする。これらの不具合は印刷画像の品質低下の原因となっていた。また、インクが凝集すると装置内の各機器に過剰な負荷がかかり装置故障の原因となる場合もある。
【０００５】
そこで、特許文献１には、装着された消耗品と本体装置との間で情報を伝達し、消耗品に設置された消耗品記憶情報（例えば、適合機種情報、マッチングパラメータの設定情報、製造年月日など）に基づいて、特性を照合する画像記録装置に関する技術が開示されている。
【先行技術文献】
【特許文献】
【０００６】
【特許文献１】特開２００１−１８５０７号公報
【発明の概要】
【発明が解決しようとする課題】
【０００７】
しかしながら、上述の特許文献１に記載の画像記録装置では、伝達した消耗品記憶情報に基づいて特性を照合するので、照合の精度が低いという問題点があった。
【０００８】
照合の精度が低いと不適切な消耗品が装着されることがあり、これにより印刷画像品質の低下や印刷装置の故障の原因となる場合があった。
【０００９】
本発明は、上記課題に鑑みてなされたものであり、適切な消耗品のみを許可認証することにより印刷品質の低下や装置故障を防止する認証装置を提供することを目的とする。
【課題を解決するための手段】
【００１０】
上記目的を達成するため、本発明に係る認証装置の第１の特徴は、内部にメモリを有し、印刷機に取り付けられる消耗品の認証を行う認証装置であって、前記消耗品に記憶された消耗品記憶情報に基づいて、前記印刷機により生成された第１の照合情報と、前記消耗品記憶情報に基づいて生成され、前記メモリに記憶されている第２の照合情報とを照合する第１照合手段と、前記印刷機の取得情報に基づいて前記印刷機により生成された第３の照合情報と、前記消耗品の取得情報に基づいて生成されて前記メモリに記憶されている第４の照合情報とを照合する第２照合手段と、前記第１照合手段と前記第２照合手段との照合結果が、いずれも一致すると判定された場合に、前記消耗品を許可認証する認証手段と、を備え、前記第１の照合情報と前記第２の照合情報との組と、前記第３の照合情報と前記第４の照合情報との組との少なくとも一方の組は、動的情報であることにある。
【００１１】
ここで、消耗品記憶情報とは、消耗品に記憶された情報のことであり、例えば、位置情報やＩＤ、またはその組み合わせなどのことをいう。
【００１２】
また、印刷機の取得情報は、印刷機に対して外部から入力される情報や印刷機内部で生成されることにより取得する情報であり、製造時に取得されてもよいし、流通過程において取得されてもよいし、使用開始時に取得されてもよく、取得の時期は問わない。例えば、印刷機の取得情報は、接続された消耗品や時計その他入力装置など外部から入力されるＩＤ、仕向け情報（位置情報）、インク残量情報、時刻情報、またはその組み合わせや、印刷機が内蔵する時計などにより印刷機内部で取得した時刻情報や、印刷機が内蔵するＧＰＳ（Global Positioning System）機能などにより印刷機内部で取得した位置情報などが該当する。
【００１３】
また、消耗品の取得情報は消耗品に対して外部から入力される情報や消耗品内部で生成されることにより取得する情報であり、製造時に取得されてもよいし、流通過程において取得されてもよいし、使用開始時に取得されてもよく、取得の時期は問わない。例えば、取得情報は、接続された印刷装置や時計その他入力装置など外部から入力されるＩＤ、仕向け情報（位置情報）、インク残量情報、時刻情報、またはその組み合わせや、消耗品が内蔵する時計などにより消耗品内部で取得した時刻情報や、消耗品が内蔵するＧＰＳ（Global Positioning System）機能などにより消耗品内部で取得した位置情報などが該当する。
【００１４】
本発明に係る認証装置の第２の特徴は、前記消耗品記憶情報は、前記消耗品を特定するＩＤであり、前記印刷機の取得情報と前記消耗品の取得情報とは、前記消耗品の残量情報であることにある。
【００１５】
本発明に係る認証装置の第３の特徴は、前記消耗品記憶情報と前記印刷機の取得情報と前記消耗品の取得情報とは、いずれも前記消耗品の残量情報であることにある。
【発明の効果】
【００１６】
本発明に係る認証装置の第１の特徴によれば、第１照合手段が、消耗品に記憶された消耗品記憶情報に基づいて、印刷機により生成された第１の照合情報と、消耗品記憶情報に基づいて生成され、メモリに記憶されている第２の照合情報とを照合し、第２照合手段は、印刷機の取得情報に基づいて印刷機により生成された第３の照合情報と、消耗品の取得情報に基づいて生成されてメモリに記憶されている第４の照合情報とを照合し、認証手段が、第１照合手段と第２照合手段と照合の結果いずれも一致すると判定された場合に、消耗品を許可認証する。また、第１の照合情報と第２の照合情報との組と、第３の照合情報と第４の照合情報との組との少なくとも一方の組は、動的情報である。
【００１７】
そのため、第１の照合情報と第２の照合情報との組と、第３の照合情報と第４の照合情報との組の両方が静的情報である場合に比べて、認証の精度を上げることができる。これにより不適切なインクカートリッジが使用されることを確実に識別することができるので、印刷品質の低下や装置故障を防止することができる。
【００１８】
本発明に係る認証装置の第２の特徴によれば、消耗品記憶情報は、消耗品を特定するＩＤであり、印刷機の取得情報と消耗品の取得情報とは、インク残量情報である。これにより、第１照合手段により照合される第１照合情報および第２照合情報の生成元となる情報と、第２照合手段に照合される第３照合情報および第４照合情報の生成元となる情報とが異なるので、より認証の精度を上げることができる。
【００１９】
本発明に係る認証装置の第３の特徴によれば、消耗品記憶情報と印刷機の取得情報と消耗品の取得情報とは、いずれもインク残量情報である。これにより、第１照合手段により照合される第１照合情報および第２照合情報の生成元となる情報と、第２照合手段により照合される第３照合情報および第４照合情報の生成元となる情報とを、何れも動的情報とすることができるので、より認証の精度を上げることができる。
【図面の簡単な説明】
【００２０】
【図１】本発明の実施例１に係る認証装置であるインクジェット印刷装置の構成を説明した図である。
【図２】本発明の実施例１に係るインクジェット印刷装置が備える本体装置とインクカートリッジの機能を説明した説明図である。
【図３】本発明の実施例１に係るインクジェット印刷装置における処理手順を示したシーケンス図である。
【図４】本発明の実施例２に係るインクジェット印刷装置が備える本体装置とインクカートリッジの機能を説明した説明図である。
【図５】本発明の実施例２に係るインクジェット印刷装置における処理手順を示したシーケンス図である。
【図６】本発明の実施例３に係るインクジェット印刷装置が備える本体装置とインクカートリッジの機能を説明した説明図である。
【図７】本発明の実施例３に係るインクジェット印刷装置における処理手順を示したシーケンス図である。
【発明を実施するための形態】
【００２１】
以下、本発明の実施例に係る認証装置を、図面を参照しながら詳細に説明する。また、以下に示す実施例は、この発明の技術的思想を具体化するための装置等を例示するものであって、この発明の技術的思想は、各構成部品の配置等を下記のものに特定するものでない。この発明の技術的思想は、特許請求の範囲において、種々の変更を加えることができる。
【００２２】
［実施例１］
本発明の実施例１では、本体装置と、本体装置に対して着脱可能に取り付けられた消耗品である色毎のインクカートリッジとを備えたインクジェット印刷装置に適用された認証装置を例に挙げて説明する。
【００２３】
＜インクジェット印刷装置の構成＞
図１は、本発明の実施例１に係る認証装置であるインクジェット印刷装置１の構成を説明した図である。
【００２４】
本発明の実施例１に係るインクジェット印刷装置１は、インクカートリッジと、インクカートリッジ以外の構成を有する本体装置とを備えており、図１では、本体装置（印刷機）にインクカートリッジが装着された状態のインクジェット印刷装置１を例に挙げて説明する。
【００２５】
図１に示すように、インクジェット印刷装置１は、Ｃ（シアン）、Ｍ（マゼンタ）、Ｙ（イエロー）、Ｋ（ブラック）のインクに対応するインクジェットヘッド１１０Ｃ，１１０Ｍ，１１０Ｙ，１１０Ｋを備えており、印刷用紙は、インクジェットヘッド１１０Ｃ，１１０Ｍ，１１０Ｙ，１１０Ｋの対向面に設けられた環状の搬送ベルト（図示しない）によって印刷条件により定められる速度で搬送されながら、インクジェットヘッド１１０Ｃ，１１０Ｍ，１１０Ｙ，１１０Ｋから吐出されたインクによりライン単位で印刷される。
【００２６】
各インクは着脱可能なインクカートリッジに設けられたインクボトルから供給されるようになっており、Ｃ（シアン）のインクを供給するインクボトル１５１Ｃ、Ｍ（マゼンタ）のインクを供給するインクボトル１５１Ｍ、Ｙ（イエロー）のインクを供給するインクボトル１５１Ｙ、Ｋ（ブラック）のインクを供給するインクボトル１５１Ｋが備えられている。なお、以下においてインク色にこだわらない場合にはインクボトル１５１で代表させて説明する。他の機能部についても同様である。
【００２７】
インクボトル１５１から供給されたインクは、樹脂、金属等のパイプにより形成されたインク循環経路を通って、インクジェットヘッド１１０の下流側に設けられた下流タンクに一旦溜められる。このため、インクジェット印刷装置１には、Ｃ（シアン）のインクを溜める下流タンク１２０Ｃ、Ｍ（マゼンタ）のインクを溜める下流タンク１２０Ｍ、Ｙ（イエロー）のインクを溜める下流タンク１２０Ｙ、Ｋ（ブラック）のインクを溜める下流タンク１２０Ｋが備えられている。
【００２８】
インクジェット印刷装置１には、ポンプ１７０Ｃ、ポンプ１７０Ｍ、ポンプ１７０Ｙ、ポンプ１７０Ｋおよび上流タンク１３０Ｃ、上流タンク１３０Ｍ、上流タンク１３０Ｙ、上流タンク１３０Ｋが備えられている。下流タンク１２０に溜められたインクは、ポンプによりインクジェットヘッド１１０の上流側に設けられた上流タンクに送られる。上流タンク１３０に送られたインクは、インクを吐出する多数のノズルが設けられているインクジェットヘッド１１０に送液される。
【００２９】
上流タンク１３０は共通空気室１７２と接続されている。共通空気室１７２には、ポンプ１７３および図示しない大気開放弁が備えられており、大気開放弁を全閉してポンプ１７３により上流タンク１３０に空気を送り込んだり、大気開放弁を全開して大気圧にしたりすることにより、上流タンク１３０内の空気の圧力を調整する。
【００３０】
インクジェットヘッド１１０で吐出されなかったインクは、下流タンク１２０に戻される。上流タンク１３０からインクジェットヘッド１１０を経由して下流タンク１２０へのインク帰還は、上流タンク１３０と下流タンク１２０との水頭差を利用している。
【００３１】
インクは印刷品質が保証される温度範囲が定められており、環境温度が低く、インク温度が印刷可能である下限温度を下回っているとインクを加熱する必要がある。一方、インクジェットヘッド１１０内に設けられたドライバやピエゾ素子は動作することにより発熱し、これらの発熱やインク振動のジュール熱により、高温時におけるインク温度上昇の影響等を抑制する必要がある。そこで、インク循環経路上に、温度調節器１６１が設けられており、温度調節器１６１により、インクは、加温又は冷却される。
【００３２】
このような構成を有するインクジェット印刷装置に不適切なインクカートリッジが装着されると、例えば、インクが凝集してしまい凝集したインクがインクジェットヘッド１１０のノズルを閉塞させ吐出不良を発生させたり、搬送された印刷用紙に着弾したインクがにじみ、画像のエッジ不良などが発生したりする。さらに、インク循環経路内でインクが凝集すると、ポンプ１７０などインク送液手段に過剰な負荷がかかり装置故障の原因になる場合もある。
【００３３】
そこで、本発明の実施例１に係るインクジェット印刷装置１は、印刷品質の低下や印刷装置の故障を防止するため、装着されたインクカートリッジが使用可能か否かの認証を行う。
【００３４】
図２は、本発明の実施例１に係るインクジェット印刷装置１が備える本体装置とインクカートリッジの機能を説明した説明図である。なお、図２に示す矢印は、主な情報の送受信関係を示しているが、インクジェット印刷装置１において、情報の送受信関係は、図２に示す矢印に限定されるものでない。
【００３５】
図２に示すように、本発明の実施例１に係るインクジェット印刷装置１は、本体装置２と、本体装置２に装着されたインクカートリッジ１５０Ｋ，１５０Ｃ，１５０Ｍ，１５０Ｙとを備えており、インクカートリッジ１５０Ｋ，１５０Ｃ，１５０Ｍ，１５０Ｙがそれぞれ使用可能か否かの認証を行う。ここで、インクカートリッジ１５０Ｋ、１５０Ｃ，１５０Ｍ，１５０Ｙのそれぞれは、同一の構成を有しているため、ここでは、インクカートリッジ１５０Ｋに着目して、その構成を説明する。また、簡略化のため、インクカートリッジ１５０Ｋ、１５０Ｃ，１５０Ｍ，１５０Ｙのそれぞれを、適宜、インクカートリッジ１５０と示す。
【００３６】
インクカートリッジ１５０は、インクボトル１５１と、非接触ＩＣ１５２とを備えている。
【００３７】
非接触ＩＣ１５２は、メモリ１５３と処理部１５４とを有しており、本体装置２との間で無線によるデータ通信を行う。
【００３８】
メモリ１５３には、インクカートリッジ１５０を一意に特定するＩＤ（消耗品記憶情報）と、インクボトル１５１に貯留されたインクの残量を示すインク残量情報と、ＩＤに基づいて生成された静的パスワード（第２の照合情報）と、インク残量情報（消耗品の取得情報）に基づいて生成された動的パスワード（第４の照合情報）と、静的パスワード（第２の照合情報）を生成するためのプログラムである静的アルゴリズムと、動的パスワード（第４の照合情報）を生成するためのプログラムである動的アルゴリズムとが記憶される。メモリ１５３には、インクカートリッジ１５０が使用される地域を示す仕向け情報が記憶されてもよい。また、メモリ１５３には、他にも、インク色情報、インク溶媒種類情報が記憶されてもよい。また、本実施例において、インク残量情報は、消耗品の残量情報であり、印刷機の取得情報及び消耗品の取得情報である。
【００３９】
また、静的パスワードは、静的情報である。ここで、静的情報とは、照合や認証の度に変化しない固定的な情報のことである。静的パスワードは、ＩＤに基づいて、静的アルゴリズムを用いて静的パスワード生成手段１５４３により生成されて、メモリ１５３に記憶される。
【００４０】
また、動的パスワードは、動的情報である。ここで、動的情報とは、照合や認証の度に変化する可変的な情報のことである。動的パスワードは、インク残量情報に基づいて動的アルゴリズムを用いて動的パスワード生成手段１５４１により生成されて、メモリ１８に記憶される。
【００４１】
また、処理部１５４は、ＣＰＵなどの演算処理装置によって構成されており、演算処理機能を有する。処理部１５４は、動的パスワード生成手段１５４１と、動的パスワード照合手段１５４２と、静的パスワード生成手段１５４３と、残量検出手段１５４４とを備える。
【００４２】
動的パスワード生成手段１５４１は、インク残量情報（消耗品の取得情報）に基づいて、動的パスワード（第４の照合情報）を生成する。具体的に、動的パスワード生成手段１５４１は、無線通信手段１１により読み込まれたＩＤとインク残量情報とに基づいて、メモリ１８に記憶された動的アルゴリズムを用いて動的パスワードを生成する。
【００４３】
動的パスワード照合手段１５４２は、インク残量情報（消耗品の取得情報）に基づいて本体装置２により生成された動的パスワード（第３の照合情報）と、インク残量情報（印刷機の取得情報）に基づいて生成されてメモリ１５３に記憶されている動的パスワード（第４の照合情報）とを照合する。本実施例において、動的パスワード照合手段１５４２は、第２照合手段を構成する。
【００４４】
残量検出手段１５４４は、例えば、インクジェットヘッド１１０Ｃ，１１０Ｍ，１１０Ｙ，１１０Ｋから吐出されたインクの吐出量に基づいて、自インクカートリッジ１５０Ｋのインクボトル１５１内のインク残量を算出し、インク残量情報として、メモリ１５３に記憶させる。残量検出手段１５４４は、インク残量情報を所定のタイミングで算出してメモリ１５３に記憶する。所定のタイミングは、例えば、電源オン、省電力モードからの復帰、または図示しないセンサーの検出結果に基づいて本体装置２にインクカートリッジ１５０が装着されたことを検出したタイミングであってもよい。
【００４５】
本体装置２は、無線通信手段１１と、インク残量情報取得手段１２と、動的パスワード生成手段１３と、静的パスワード生成手段１４と、静的パスワード照合手段１５と、認証手段１６と、表示手段１７と、メモリ１８とを備えている。
【００４６】
無線通信手段１１は、非接触ＩＣ１５２との間で無線通信を確立し、非接触ＩＣ１５２から種々の情報を読み込み、読み込んだ情報を本体装置２内の各種機能に供給する。なお、無線通信手段１１と非接触ＩＣ１５２との間で無線通信を行う際、送信側は乱数を付加して送信し、受信側は付加された乱数を削除することにより情報を取り出す。これにより、通信する情報の傍受を防止することができる。
【００４７】
インク残量情報取得手段１２は、消耗品の残量情報であるインク残量情報を取得する。具体的に、インク残量情報取得手段１２は、インクカートリッジ１５０のメモリ１５３から、インク残量情報を取得する。なお、インク残量情報は、インクカートリッジ１５０で生成される動的情報であり、消耗品動的情報と言い換えられる。
【００４８】
動的パスワード生成手段１３は、インク残量情報取得手段１２により取得されたインク残量情報に基づいて、メモリ１８に記憶された動的アルゴリズムを用いて動的パスワード（第３の照合情報）を生成する。
【００４９】
静的パスワード生成手段１４は、無線通信手段１１により読み込まれたＩＤ（消耗品記憶情報）に基づいて、メモリ１８に記憶された静的アルゴリズムを用いて静的パスワード（第１の照合情報）を生成する。
【００５０】
静的パスワード照合手段１５は、メモリ１５３記憶されたＩＤ（消耗品記憶情報）に基づいて、本体装置２により生成された静的パスワード（第１の照合情報）と、ＩＤ（消耗品記憶情報）に基づいて生成され、インクカートリッジ１５０のメモリ１５３に記憶されている静的パスワード（第２の照合情報）とを照合する。本実施例において、静的パスワード照合手段１５は、第１照合手段を構成する。
【００５１】
認証手段１６は、静的パスワード照合手段１５と動的パスワード照合手段１５４２との照合結果が、いずれも一致すると判定された場合に、インクカートリッジ１５０を許可認証する。この認証許可により装着されたインクカートリッジ１５０は使用可能となる。
【００５２】
表示手段１７は、認証手段１６により認証が不許可の場合、装着されているインクカートリッジ１５０は使用することができない旨警告メッセージを表示する。
【００５３】
メモリ１８は、本体装置２内の各種処理に用いられる情報を記憶する。メモリ１８は、静的パスワード（第１の照合情報）を生成するためのプログラムである静的アルゴリズムと、動的パスワード（第３の照合情報）を生成するためのプログラムである動的アルゴリズムとを記憶している。
【００５４】
メモリ１８に記憶される静的アルゴリズムは、インクカートリッジ１５０のメモリ１５３に記憶される静的アルゴリズムと共通である。また、メモリ１８に記憶される動的アルゴリズムは、インクカートリッジ１５０のメモリ１５３に記憶される動的アルゴリズムと共通である。なお、メモリ１８には、インクジェット印刷装置１が使用される地域を示す仕向け情報が記憶されていてもよい。
【００５５】
＜インクジェット印刷装置の作用＞
次に、本発明の実施例１に係るインクジェット印刷装置１の作用について説明する。
【００５６】
図３は、本発明の実施例１に係るインクジェット印刷装置１における処理手順を示したシーケンス図である。
【００５７】
図３に示すように、本発明の実施例１に係るインクジェット印刷装置１は、電源オン、省電力モードからの復帰、または図示しないセンサーの検出結果に基づいて本体装置２にインクカートリッジ１５０が装着されたことを検出すると（ステップＳ１００；“ＹＥＳ”）、本体装置２の無線通信手段１１が非接触ＩＣ１５２との間で無線通信を確立し、非接触ＩＣ１５２のメモリ１５３からＩＤを読み出すとともに、インク残量情報取得手段１２は、非接触ＩＣ１５２のメモリ１５３からインク残量情報を取得する（ステップＳ１０１）。取得されたＩＤとインク残量情報は、メモリ１８に記憶される。
【００５８】
次に、本体装置２の動的パスワード生成手段１３が、ＩＤとインク残量情報とに基づいて、メモリ１８に記憶された動的アルゴリズムを用いて動的パスワード（第３の照合情報）を生成する（ステップＳ１０２）。
【００５９】
そして、本体装置２の無線通信手段１１が、動的パスワードをインクカートリッジ１５０に送信する（ステップＳ１０３）。
【００６０】
次に、インクカートリッジ１５０では、本体装置２から送信された動的パスワードが、メモリ１５３に記憶される。そして、インクカートリッジ１５０では、動的パスワード生成手段１５４１が、メモリ１５３に記憶されるＩＤとインク残量情報とを読み出すとともに、読み出したＩＤとインク残量情報とに基づいて、メモリ１５３に記憶される動的アルゴリズムを用いて動的パスワード（第４の照合情報）を生成し、生成した動的パスワードをメモリ１５３に記憶する（ステップＳ１０４）。
【００６１】
動的パスワード照合手段１５４２は、本体装置２から送信された動的パスワード（第３の照合情報）と、ステップＳ１０３において記憶された動的パスワード（第４の照合情報）との２つの動的パスワードが一致するか否かの照合を行う（ステップＳ１０５）。
【００６２】
ここで、インクカートリッジ１５０がインクジェット印刷装置１に適合する製品である場合には、２つの動的パスワードは、いずれも共通のＩＤと共通のインク残量情報とに基づいて、共通の動的アルゴリズムを用いて生成されることになるので、ステップＳ１０４において記憶された動的パスワードと、本体装置２から送信された動的パスワードとが一致することになる。また、ステップＳ１０５において、動的パスワード照合手段１５４２は、２つの動的パスワードが一致する場合、照合結果を“一致”と判定し、一致しない場合、照合結果を“不一致”と判定する。
【００６３】
次に、インクカートリッジ１５０では、静的パスワード生成手段１５４３が、メモリ１５３に記憶されるＩＤを読み出すとともに、読み出したＩＤに基づいて、メモリ１５３に記憶される静的アルゴリズムを用いて静的パスワード（第２の照合情報）を生成し、生成した静的パスワードをメモリ１５３に記憶する（ステップＳ１０６）。
【００６４】
そして、処理部１５４は、メモリ１５３に記憶されている静的パスワード（第２の照合情報）を読み出すとともに、読み出した静的パスワードと、動的パスワードの照合結果（“一致”又は“不一致”）とを、本体装置２に送信する（ステップＳ１０７）。
【００６５】
次に、本体装置２では、カートリッジ１５０から送信された静的パスワードと、動的パスワードの照合結果（“一致”又は“不一致”）とが、メモリ１８に記憶される。そして、本体装置２では、認証手段１６は、動的パスワードの照合結果が“一致”又は“不一致”のいずれであるかを判定する（ステップＳ１０８）。認証手段１６は、動的パスワードの照合結果が“不一致”である場合（ステップＳ１０８；ＮＯ）、インクカートリッジ１５０はインクジェット印刷装置１に適合する製品ではないことになるので、表示手段１７に装着されているインクカートリッジは使用することができない旨の警告メッセージを表示させる（ステップＳ１１３）。
【００６６】
一方、動的パスワードの照合結果が“一致”である場合（ステップＳ１０８；ＹＥＳ）、装着されているインクカートリッジは適切なものである可能性がある。
【００６７】
そこで、本体装置２では、静的パスワード生成手段１４が、ステップＳ１０１で取得したＩＤに基づいて、メモリ１８に記憶される静的アルゴリズムを用いて静的パスワード（第１の照合情報）を生成する（ステップＳ１０９）。
【００６８】
そして、静的パスワード照合手段１５は、静的パスワード生成手段１４によって生成された静的パスワード（第１の照合情報）と、ステップＳ１０８でインクカートリッジ１５０から送信された静的パスワード（第２の照合情報）との２つの静的パスワードが一致するか否かの照合を行う（ステップＳ１１０）。
【００６９】
ここで、インクカートリッジ１５０がインクジェット印刷装置１に適合する製品である場合には、２つの静的パスワードは、いずれも共通のＩＤに基づいて、共通の静的アルゴリズムを用いて生成されることになるので、一致することになる。ステップＳ１１０において、静的パスワード照合手段１５は、２つの静的パスワードが一致する場合、照合結果を“一致”と判定し、一致しない場合、照合結果を“不一致”と判定する。
【００７０】
続いて、認証手段１６は、静的パスワード照合手段１５による静的パスワードの照合結果が“一致”又は“不一致”のいずれであるかを判定する（ステップＳ１１１）。認証手段１６は、２つの静的パスワードの認証結果が“不一致”である場合（ステップＳ１１１；ＮＯ）、インクカートリッジ１５０はインクジェット印刷装置１に適合する製品ではないことになるので、表示手段１７に装着されているインクカートリッジは使用することができない旨の警告メッセージを表示させる（ステップＳ１１２）。
【００７１】
一方、認証手段１６は、２つの静的パスワードの認証結果が“一致”である場合（ステップＳ１１１；ＹＥＳ）、装着されているインクカートリッジは適切なものであると判定し、装着されているインクカートリッジの使用を許可認証する（ステップＳ１１３）。
【００７２】
以上のように、本発明の実施例１に係るインクジェット印刷装置１によれば、動的パスワード照合手段１５４２と静的パスワード照合手段１５と照合の結果がいずれも一致すると判定された場合に、認証手段１６が、消耗品であるインクカートリッジ１５０を許可認証するので、認証の精度を上げることができる。
【００７３】
さらに、動的パスワード照合手段１５４２は、動的情報である２つの動的パスワード（第３の照合情報と第４の照合情報との組）を照合する。すなわち、静的情報である２つの静的パスワードの組（第１の照合情報と第２の照合情報との組））だけでなく、動的情報である２つの動的パスワード（第３の照合情報と第４の照合情報との組）を照合するため、認証手段１６による認証の精度を一層向上させることができる。
【００７４】
これにより不適切なインクカートリッジが使用されないように確実に識別することができるので、印刷品質の低下や装置故障を防止することができる。
【００７５】
なお、ステップＳ１０６及びＳ１０９において、静的パスワード生成手段１５４３及び静的パスワード生成手段１４が、ＩＤに基づいて、静的アルゴリズムを用いて静的パスワードを生成していたが、ＩＤと本体静的情報に基づいて、静的アルゴリズムを用いて静的パスワード（第１〜第２の照合情報）を生成してもよい。ここで、本体静的情報とは、本体装置２に記憶される静的情報であり、インクジェット印刷装置１が使用される地域を示す仕向け情報が一例として挙げられる。ＩＤと本体静的情報とに基づいて静的パスワードを生成する場合、ステップＳ１０３においてインクカートリッジ１５０に動的パスワードと本体静的情報とを送信するように構成される。
【００７６】
なお、本発明の実施例１では、ステップＳ１０８において、認証手段１６は、２つの動的パスワードの照合結果が“一致”であるか否かを判定し、２つの動的パスワードの照合結果が“一致”であると判定した後に、ステップＳ１１１において、２つの静的パスワードの照合結果が“一致”であるか判定していたが、これに限定されない。認証手段１６は、先に、２つの静的パスワードの照合結果が“一致”であるかを判定し、２つの静的パスワードの照合結果が“一致”である場合に、２つの動的パスワードの照合結果が“一致”であると判定してもよい。すなわち、ステップＳ１０８と、ステップＳ１０９〜Ｓ１１１との順序は、入れ替えてもよい。
【００７７】
なお、本発明の実施例１では、インクカートリッジ１５０が、動的パスワード照合手段１５４２を備え、本体装置２が、静的パスワード照合手段１５を備えていたが、これに限定されない。例えば、本体装置２又はインクカートリッジ１５０の一方が、動的パスワード照合手段１５４２と静的パスワード照合手段１５との両方を備えてもよい。
【００７８】
なお、本発明の実施例１では、インクカートリッジ１５０が、動的パスワード生成手段１５４１と静的パスワード生成手段１５４３とを備え、本体装置２が、動的パスワード生成手段１３と静的パスワード生成手段１４とを備えていたが、これに限定されない。例えば、本体装置２又はインクカートリッジ１５０の一方が、動的パスワード生成手段１５４１と静的パスワード生成手段１５４３と動的パスワード生成手段１３と静的パスワード生成手段１４とを備えていてもよい。
【００７９】
また、本発明の実施例１において、メモリ１５３は、インクカートリッジ１５０の外部から情報を読み取り可能な領域である読み取り可能領域と、インクカートリッジ１５０の外部から情報を読み取り不可な領域である読み取り不可領域とを備えていてもよい。この場合、照合に用いられる情報（ここでは、静的パスワード（第２の照合情報）、動的パスワード（第４の照合情報）、静的アルゴリズム、及び動的アルゴリズム）を読み取り不可領域に記憶させておくことが好ましい。
【００８０】
例えば、静的パスワード（第２の照合情報）、動的パスワード（第４の照合情報）、静的アルゴリズム、及び動的アルゴリズムを、上述のメモリ１５３の読み取り不可領域に記憶させておくことで、インクカートリッジの外部から読み取られることを防止できるため、静的パスワード照合手段１５及び動的パスワード照合手段１５４２による照合の精度を上げることができる。これにより、より確実に使用不可のインクカートリッジを識別することができるため、印刷品質の低下や装置故障を防止することができる。
【００８１】
なお、本発明の実施例１では、ＩＤを消耗品記憶情報とし、インク残量情報を印刷機の取得情報及び消耗品の取得情報として規定したが、これに限定されない。例えば、インク残量情報を、インクカートリッジ１５０のメモリ１５３に記憶された消耗品記憶情報としてもよい。すなわち、消耗品記憶情報と印刷機の取得情報と消耗品の取得情報とは、いずれもインク残量情報（消耗品の残量情報）としてもよい。
【００８２】
［実施例２］
＜インクジェット印刷装置の構成＞
次に、本発明の実施例２に係るインクジェット印刷装置１の構成について説明する。
【００８３】
ここで、上述した実施例１では、２つの動的パスワードを照合した後に、２つの静的パスワードを照合する構成であったが、実施例２では、２つの静的パスワードを照合した後に、２つの動的パスワードの照合するように構成される。
【００８４】
図４は、本発明の実施例２に係るインクジェット印刷装置１が備える本体装置２とインクカートリッジ１５０の機能を説明した説明図である。なお、本発明の実施例２に係るインクジェット印刷装置１と実施例１に係るインクジェット印刷装置１との主な相違点は、次の通りである。
【００８５】
具体的に、図４に示すように、実施例２に係るインクジェット印刷装置１では、本体装置２が、動的パスワード照合手段１９を備える。また、インクカートリッジ１５０の処理部１５４が、静的パスワード照合手段１５４５を備える。
【００８６】
本実施例において、動的パスワード照合手段１９は、第２照合手段を構成し、静的パスワード照合手段１５４５は、第１照合手段を構成する。
【００８７】
＜インクジェット印刷装置の作用＞
次に、本発明の実施例２に係るインクジェット印刷装置１の作用について説明する。
【００８８】
図５は、本発明の実施例２に係るインクジェット印刷装置１における処理手順を示したシーケンス図である。
【００８９】
図５に示すように、本発明の実施例２に係るインクジェット印刷装置１は、電源オン、省電力モードからの復帰、または図示しないセンサーの検出結果に基づいて本体装置２にインクカートリッジ１５０が装着されたことを検出すると（ステップＳ２００；“ＹＥＳ”）、本体装置２の無線通信手段１１が非接触ＩＣ１５２との間で無線通信を確立し、非接触ＩＣ１５２のメモリ１５３からＩＤ（消耗品記憶情報）を読み出す（ステップＳ２０１）。読み出されたＩＤは、メモリ１８に記憶される。
【００９０】
そして、本体装置２では、動的パスワード生成手段１３が、ステップＳ２０１で取得したＩＤに基づいて、メモリ１８に記憶される静的アルゴリズムを用いて静的パスワード（第１の照合情報）を生成する（ステップＳ２０２）。
【００９１】
次に、本体装置２の無線通信手段１１が、静的パスワードをインクカートリッジ１５０に送信する（ステップＳ２０３）。
【００９２】
次に、インクカートリッジ１５０では、本体装置２から送信された静的パスワードが、メモリ１５３に記憶される。そして、インクカートリッジ１５０では、静的パスワード生成手段１５４３が、メモリ１５３に記憶されるＩＤを読み出すとともに、読み出したＩＤに基づいて、メモリ１５３に記憶される静的アルゴリズムを用いて静的パスワード（第２の照合情報）を生成し、生成した静的パスワードをメモリ１５３に記憶する（ステップＳ２０４）。
【００９３】
静的パスワード照合手段１５４５は、本体装置２から送信された静的パスワード（第１の照合情報）と、ステップＳ２０４において記憶された静的パスワード（第２の照合情報）との２つの静的パスワードが一致するか否かの照合を行う（ステップＳ２０５）。
【００９４】
ここで、インクカートリッジ１５０がインクジェット印刷装置１に適合する製品である場合には、２つの静的パスワードは、いずれも共通のＩＤに基づいて、共通の静的アルゴリズムを用いて生成されることになるので、ステップＳ２０４において記憶された静的パスワードと、本体装置２から送信された静的パスワードとが一致することになる。ステップＳ２０５において、静的パスワード照合手段１５４５は、２つの静的パスワードが一致する場合、照合結果を“一致”と判定し、一致しない場合、照合結果を“不一致”と判定する。
【００９５】
次に、動的パスワード生成手段１５４１は、メモリ１５３に記憶されるＩＤを読み出すとともに、読み出したＩＤと、インク残量情報（消耗品の取得情報）とに基づいて、メモリ１５３に記憶される動的アルゴリズムを用いて動的パスワード（第４の照合情報）を生成し、生成した動的パスワードをメモリ１５３に記憶する（ステップＳ２０６）。
【００９６】
そして、処理部１５４は、ステップＳ２０５において照合した静的パスワードの照合結果（“一致”又は“不一致”）と、ステップＳ２０６においてメモリ１５３に記憶された動的パスワードと、メモリ１５３に記憶されたインク残量情報とを、本体装置２に送信する（ステップＳ２０７）。
【００９７】
次に、本体装置２では、カートリッジ１５０から送信された静的パスワードの照合結果（“一致”又は“不一致”）と動的パスワードとインク残量情報とが、メモリ１８に記憶される。そして、本体装置２では、認証手段１６は、静的パスワードの照合結果が“一致”又は“不一致”のいずれであるかを判定する（ステップＳ２０８）。認証手段１６は、静的パスワードの照合結果が“不一致”である場合（ステップＳ２０８；ＮＯ）、インクカートリッジ１５０はインクジェット印刷装置１に適合する製品ではないことになるので、表示手段１７に装着されているインクカートリッジは使用することができない旨の警告メッセージを表示させる（ステップＳ２１２）。
【００９８】
一方、静的パスワードの照合結果が“一致”である場合（ステップＳ２０８；ＹＥＳ）、装着されているインクカートリッジは適切なものである可能性がある。
【００９９】
そこで、本体装置２では、インク残量情報取得手段１２がステップＳ２０７でカートリッジ１５０から送信されたインク残量情報をメモリ１８から取得する。そして、動的パスワード生成手段１３が、ステップＳ２０１で取得したＩＤと、インク残量情報取得手段１２により取得されたインク残量情報（印刷機の取得情報）とに基づいて、メモリ１８に記憶される動的アルゴリズムを用いて動的パスワード（第３の照合情報）を生成する（ステップＳ２０９）。
【０１００】
そして、動的パスワード照合手段１９は、動的パスワード生成手段１３によって生成された動的パスワード（第３の照合情報）と、ステップＳ２０７でインクカートリッジ１５０から送信された動的パスワード（第４の照合情報）との２つの動的パスワードが一致するか否かの照合を行う（ステップＳ２１０）。
【０１０１】
ここで、動的パスワード照合手段１９は、２つの動的パスワードが一致する場合、照合結果を“一致”と判定し、一致しない場合、照合結果を“不一致”と判定する。
【０１０２】
続いて、認証手段１６は、動的パスワード照合手段１９による２つの動的パスワードの照合結果が“一致”又は“不一致”のいずれであるかを判定する（ステップＳ２１１）。認証手段１６は、２つの動的パスワードの認証結果が“不一致”である場合（ステップＳ２１１；ＮＯ）、インクカートリッジ１５０はインクジェット印刷装置１に適合する製品ではないことになるので、表示手段１７に装着されているインクカートリッジは使用することができない旨の警告メッセージを表示させる（ステップＳ２１２）。
【０１０３】
一方、認証手段１６は、２つの動的パスワードの認証結果が“一致”である場合（ステップＳ２１１；ＹＥＳ）、装着されているインクカートリッジは適切なものであると判定し、装着されているインクカートリッジの使用を許可認証する（ステップＳ２１３）。
【０１０４】
以上のように、本発明の実施例１に係るインクジェット印刷装置１によれば、静的パスワード照合手段１５４５と動的パスワード照合手段１９と照合の結果がいずれも一致すると判定された場合に、認証手段１６が消耗品であるインクカートリッジ１５０を許可認証するので、認証の精度を上げることができる。
【０１０５】
さらに、動的パスワード照合手段１９は、動的情報である２つの動的パスワード（第３の照合情報と第４の照合情報との組）を照合する。すなわち、静的情報である２つの静的パスワードの組（第１の照合情報と第２の照合情報との組））だけでなく、動的情報である２つの動的パスワード（第３の照合情報と第４の照合情報との組）を照合するため、認証手段１６による認証の精度を一層向上させることができる。
【０１０６】
これにより不適切なインクカートリッジが使用されないように確実に識別することができるので、印刷品質の低下や装置故障を防止することができる。
【０１０７】
なお、本発明の実施例２では、ステップＳ２０６及びＳ２０９において、動的パスワード生成手段１３及び動的パスワード生成手段１５４１が、ＩＤとインク残量情報とに基づいて、動的パスワードを生成していたが、これに限定されない。例えば、動的パスワード生成手段１３及び動的パスワード生成手段１５４１は、インク残量情報のみに基づいて、動的パスワードを生成してもよい。
【０１０８】
また、本発明の実施例２では、ステップＳ２０２及びＳ２０４において、静的パスワード生成手段１４及び静的パスワード生成手段１５４３が、ＩＤに基づいて、静的パスワード（第１〜第２の照合情報）を生成していたが、これに限定されない。例えば、静的パスワード生成手段１４及び静的パスワード生成手段１５４３が、ＩＤと本体静的情報とに基づいて、静的パスワード（第１〜第２の照合情報）を生成してもよい。ここで、本体静的情報とは、本体装置２のメモリ１８に記憶される静的情報であり、例えば、インクジェット印刷装置１が使用される地域を示す仕向け情報が一例として挙げられる。
【０１０９】
例えば、ＩＤと本体静的情報とに基づいて、静的パスワード（第１〜第２の照合情報）を生成する場合、ステップＳ２０２において、本体装置２の静的パスワード生成手段１４が、メモリ１８から本体静的情報を読み出すように構成される。また、ステップＳ２０３において、静的パスワードと本体静的情報とが、本体装置２からインクカートリッジ１５０に送信するように構成される。
【０１１０】
なお、本発明の実施例２では、ステップＳ２０８において、認証手段１６は、２つの静的パスワードの照合結果が“一致”であるか否かを判定した後、ステップＳ２１１において、２つの動的パスワードの照合結果が“一致”であるか判定していたが、これに限定されない。認証手段１６は、先に、２つの動的パスワードの照合結果が“一致”であるかを判定した後、２つの静的パスワードの照合結果が“一致”である場合に、２つの動的パスワードの照合結果が“一致”であるかを判定してもよい。すなわち、ステップＳ２０８と、ステップＳ２０９〜Ｓ２１１との順序は、入れ替えてもよい。
【０１１１】
なお、本発明の実施例２では、インクカートリッジ１５０が、静的パスワード照合手段１５４５を備え、本体装置２が、動的パスワード照合手段１９を備えていたが、これに限定されない。例えば、本体装置２又はインクカートリッジ１５０の一方が、静的パスワード照合手段１５４５と静的パスワード照合手段１５との両方を備えてもよい。
【０１１２】
なお、本発明の実施例２では、インクカートリッジ１５０が、動的パスワード生成手段１５４１と静的パスワード生成手段１５４３とを備え、本体装置２が、動的パスワード生成手段１３と静的パスワード生成手段１４とを備えていたが、これに限定されない。例えば、本体装置２又はインクカートリッジ１５０の一方が、動的パスワード生成手段１５４１と静的パスワード生成手段１５４３と動的パスワード生成手段１３と静的パスワード生成手段１４とを備えていてもよい。
【０１１３】
［実施例３］
＜インクジェット印刷装置の構成＞
次に、本発明の実施例３に係るインクジェット印刷装置１の構成について説明する。
【０１１４】
ここで、上述した実施例１〜２では、２つの静的パスワード（第１〜２の照合情報）の照合結果と、２つの動的パスワード（第３〜４の照合情報）による照合結果とが、いずれも“一致”である場合に、インクカートリッジ１５０を許可認証していた。すなわち、２つの静的パスワードと２つの動的パスワードとを照合情報として用いていた。
【０１１５】
実施例３では、４つの動的パスワードを照合情報として用いる。具体的に、２つの第１動的パスワードの照合結果と、２つの第２動的パスワードの照合結果が、いずれも“一致”である場合に、消耗品であるインクカートリッジ１５０を許可認証する。
【０１１６】
図６は、本発明の実施例３に係るインクジェット印刷装置１が備える本体装置２とインクカートリッジ１５０の機能を説明した説明図である。なお、本発明の実施例３に係るインクジェット印刷装置１と実施例１に係るインクジェット印刷装置１との主な相違点は、次の通りである。
【０１１７】
具体的に、図６に示すように、実施例３に係るインクジェット印刷装置１では、本体装置２が、第１動的パスワード生成手段２１と、第２動的パスワード生成手段２２と、第２動的パスワード照合手段２３とを備え、本体装置２のメモリ１８が、第１〜第２動的アルゴリズムを記憶する。
【０１１８】
また、インクカートリッジ１５０の処理部１５４が、第１動的パスワード生成手段１５５１と第２動的パスワード生成手段１５５２と第１動的パスワード照合手段１５５３とを備え、インクカートリッジ１５０のメモリ１５３が、第１〜第２動的アルゴリズム及び第１〜第２動的パスワードを記憶する。
【０１１９】
本実施例において、第１動的パスワード照合手段１５５３は、第１照合手段を構成し、第２動的パスワード照合手段２３は、第２照合手段を構成する。
【０１２０】
＜インクジェット印刷装置の作用＞
次に、本発明の実施例３に係るインクジェット印刷装置１の作用について説明する。
【０１２１】
図７は、本発明の実施例３に係るインクジェット印刷装置１における処理手順を示したシーケンス図である。
【０１２２】
図７に示すように、本発明の実施例３に係るインクジェット印刷装置１は、電源オン、省電力モードからの復帰、または図示しないセンサーの検出結果に基づいて本体装置２にインクカートリッジ１５０が装着されたことを検出すると（ステップＳ３００；“ＹＥＳ”）、本体装置２では、無線通信手段１１が非接触ＩＣ１５２との間で無線通信を確立し、本体装置２のインク残量情報取得手段１２が、非接触ＩＣ１５２のメモリ１５３からＩＤ（消耗品記憶情報）とインク残量情報とを読み出す（ステップＳ３０１）。取得されたＩＤとインク残量情報とは、メモリ１８に記憶される。
【０１２３】
次に、本体装置２では、第１動的パスワード生成手段２１が、ステップＳ３０１で取得したＩＤとインク残量情報（印刷機の取得情報）とに基づいて、メモリ１８に記憶される第１動的アルゴリズムを用いて第１動的パスワード（第１の照合情報）を生成する（ステップＳ３０２）。
【０１２４】
そして、本体装置２の無線通信手段１１が、第１動的パスワードをインクカートリッジ１５０に送信する（ステップＳ３０３）。
【０１２５】
次に、インクカートリッジ１５０では、本体装置２から送信された第１動的パスワードが、メモリ１５３に記憶される。そして、インクカートリッジ１５０では、第１動的パスワード生成手段１５５１が、メモリ１５３に記憶されるＩＤとインク残量情報とを読み出すとともに、読み出したＩＤとインク残量情報（消耗品の取得情報）とに基づいて、メモリ１５３に記憶される第１動的アルゴリズムを用いて第１動的パスワード（第２の照合情報）を生成し、生成した第１動的パスワードをメモリ１５３に記憶する（ステップＳ３０４）。
【０１２６】
そして、第１動的パスワード照合手段１５５３は、本体装置２から送信された第１動的パスワード（第１の照合情報）と、ステップＳ３０４において記憶された第１動的パスワード（第２の照合情報）との２つの第１動的パスワードが一致するか否かの照合を行う（ステップＳ３０５）。
【０１２７】
ここで、インクカートリッジ１５０がインクジェット印刷装置１に適合する製品である場合には、２つの動的パスワードは、いずれも共通のＩＤと共通のインク残量情報とに基づいて、共通の第１動的アルゴリズムを用いて生成されることになるので、２つの第１動的パスワードが一致することになる。ステップＳ３０５において、第１動的パスワード照合手段１５５３は、２つの第１動的パスワードが一致する場合、照合結果を“一致”と判定し、一致しない場合、照合結果を“不一致”と判定する。
【０１２８】
次に、第２動的パスワード生成手段１５５２は、メモリ１５３に記憶されるＩＤとインク残量情報とを読み出すとともに、読み出したＩＤとインク残量情報（消耗品の取得情報）とに基づいて、メモリ１５３に記憶される第２動的アルゴリズムを用いて第２動的パスワード（第４の照合情報）を生成し、生成した第２動的パスワードをメモリ１５３に記憶する（ステップＳ３０６）。
【０１２９】
そして、処理部１５４は、ステップＳ３０５において照合した第１動的パスワードの照合結果（“一致”又は“不一致”）と、ステップＳ３０７においてメモリ１５３に記憶された第２動的パスワードとを、本体装置２に送信する（ステップＳ３０７）。
【０１３０】
次に、本体装置２では、認証手段１６は、第１動的パスワードの照合結果が“一致”又は“不一致”のいずれであるかを判定する（ステップＳ３０８）。認証手段１６は、第１動的パスワードの照合結果が“不一致”である場合（ステップＳ３０８；ＮＯ）、インクカートリッジ１５０はインクジェット印刷装置１に適合する製品ではないことになるので、表示手段１７に装着されているインクカートリッジは使用することができない旨の警告メッセージを表示させる（ステップＳ３１２）。
【０１３１】
一方、第１動的パスワードの照合結果が“一致”である場合（ステップＳ３０８；ＹＥＳ）、装着されているインクカートリッジは適切なものである可能性がある。
【０１３２】
そこで、本体装置２では、インク残量情報取得手段１２がステップＳ３０７でカートリッジ１５０から送信されたインク残量情報をメモリ１８から取得する。そして、第２動的パスワード生成手段２２が、ステップＳ３０１で取得したＩＤと、インク残量情報取得手段１２により取得されたインク残量情報（印刷機の取得情報）とに基づいて、メモリ１８に記憶される第２動的アルゴリズムを用いて第２動的パスワード（第３の照合情報）を生成する（ステップＳ３０９）。
【０１３３】
そして、第２動的パスワード照合手段２３は、第２動的パスワード生成手段２２によって生成された第２動的パスワード（第３の照合情報）と、ステップＳ３０７においてインクカートリッジ１５０から送信された第２動的パスワード（第４の照合情報）との２つの第２動的パスワードが一致するか否かの照合を行う（ステップＳ３１０）。
【０１３４】
ここで、第２動的パスワード照合手段２３は、２つの第２動的パスワードが一致する場合、照合結果を“一致”と判定し、一致しない場合、照合結果を“不一致”と判定する。
【０１３５】
続いて、認証手段１６は、第２動的パスワード照合手段２３による２つの動的パスワードの照合結果が“一致”又は“不一致”のいずれであるかを判定する（ステップＳ３１１）。認証手段１６は、２つの第２動的パスワードの認証結果が“不一致”である場合（ステップＳ３１１；ＮＯ）、インクカートリッジ１５０はインクジェット印刷装置１に適合する製品ではないことになるので、表示手段１７に装着されているインクカートリッジは使用することができない旨の警告メッセージを表示させる（ステップＳ３１２）。
【０１３６】
一方、認証手段１６は、２つの第２動的パスワードの認証結果が“一致”である場合（ステップＳ３１１；ＹＥＳ）、装着されているインクカートリッジは適切なものであると判定し、装着されているインクカートリッジの使用を許可認証する（ステップＳ３１３）。
【０１３７】
以上のように、本発明の実施例１に係るインクジェット印刷装置１によれば、第１動的パスワード照合手段１５５３と第２動的パスワード照合手段２３と照合の結果がいずれも一致すると判定された場合に、認証手段１６が消耗品であるインクカートリッジ１５０を許可認証するので、認証の精度を上げることができる。
【０１３８】
さらに、第１動的パスワード照合手段１５５３によって照合される２つの第１動的パスワードの組（第１〜第２の照合情報の組）と、第２動的パスワード照合手段２３によって照合される２つの第２動的パスワードの組（第３の照合情報と第４の照合情報の組）は、いずれも動的情報である。このため、これらが静的情報である場合に比べて、認証手段１６による認証の精度を一層向上させることができる。
【０１３９】
これにより不適切なインクカートリッジが使用されないように確実に識別することができるので、印刷品質の低下や装置故障を防止することができる。
【０１４０】
なお、本発明の実施例３では、ステップＳ３０８において、認証手段１６は、２つの第１動的パスワードの照合結果が“一致”であるか否かを判定した後、ステップＳ３１１において、２つの第２動的パスワードの照合結果が“一致”であるか否かを判定していたが、これに限定されない。認証手段１６は、先に、２つの第２動的パスワードの照合結果が“一致”であるかを判定した後、２つの第１動的パスワードの照合結果が“一致”であるかを判定してもよい。すなわち、ステップＳ３０８と、ステップＳ３０９〜Ｓ３１１との順序は、入れ替えてもよい。
【０１４１】
なお、本発明の実施例３では、インクカートリッジ１５０が、第１動的パスワード照合手段１５５３を備え、本体装置２が、第２動的パスワード照合手段２３を備えていたが、これに限定されない。例えば、本体装置２又はインクカートリッジ１５０の一方が、第１動的パスワード照合手段１５５３と第２動的パスワード照合手段２３との両方を備えてもよい。
【０１４２】
なお、本発明の実施例３では、インクカートリッジ１５０が、第１動的パスワード生成手段１５５１と第２動的パスワード生成手段１５５２とを備え、本体装置２が、第１動的パスワード生成手段２１と第２動的パスワード生成手段２２とを備えていたが、これに限定されない。例えば、本体装置２又はインクカートリッジ１５０の一方が、第１動的パスワード生成手段１５５１と第２動的パスワード生成手段１５５２と第１動的パスワード生成手段２１と第２動的パスワード生成手段２２とを備えていてもよい。
【０１４３】
［本発明のその他の実施例］
以上、上述の実施例を用いて本発明について詳細に説明したが、当業者にとっては、本発明が本明細書中に説明した実施例に限定されるものではないということは明らかである。
【０１４４】
例えば、上述した実施例では、認証装置がインクジェット印刷装置１である場合を例に挙げて説明したが、本発明に係る認証装置は、消耗品を備えた印刷装置であればどのような印刷方式の印刷装置でも適用することができる。例えば、認証装置は、孔版印刷装置であってもよい。この場合、消耗品は、孔版マスター、孔版インク、又は、その他消耗品であり、消耗品の残量情報は、孔版マスター残量情報、孔版インク残量情報、又は、その他消耗品の残量情報である。
【０１４５】
更に、認証装置は、電子写真方式（所謂、トナー方式）により印刷するトナー印刷装置であってもよい。この場合、消耗品は、トナーカートリッジ（トナーボトル）であり、消耗品の残量情報は、トナー残量情報である。
【０１４６】
また、印刷機の取得情報及び消耗品の取得情報は、本体装置２のメモリ１８に記憶される情報（例えば、本体装置２のマックアドレス、本体製造番号）を含んでもよい。
【０１４７】
このように、本発明は上記実施の形態そのままに限定されるものではなく、実施段階ではその要旨を逸脱しない範囲で構成要素を変形して具体化できる。また、上記実施の形態に開示されている複数の構成要素の適宜な組み合せにより、種々の発明を形成できる。例えば、実施の形態に示される全構成要素から幾つかの構成要素を削除してもよい。
【符号の説明】
【０１４８】
１…インクジェット印刷装置
２…本体装置
１１…無線通信手段
１２…インク残量情報取得手段
１３…動的パスワード生成手段
１４…静的パスワード生成手段
１５…静的パスワード照合手段
１６…認証手段
１７…表示手段
１８…メモリ
１９…動的パスワード照合手段
２１…第１動的パスワード生成手段
２２…第２動的パスワード生成手段
２３…第２動的パスワード照合手段
１１０Ｃ，１１０Ｍ，１１０Ｙ，１１０Ｋ…インクジェットヘッド
１５０…インクカートリッジ
１５１…インクボトル
１５２…非接触ＩＣ
１５３…メモリ
１５４…処理部
１５４１…動的パスワード生成手段
１５４２…動的パスワード照合手段
１５４３…静的パスワード生成手段
１５４４…残量検出手段
１５４５…静的パスワード照合手段
１５５１…第１動的パスワード生成手段
１５５２…第２動的パスワード生成手段
１５５３…第１動的パスワード照合手段
【図１】
2017064984.tif 000003
【図２】
2017064984.tif 000004
【図３】
2017064984.tif 000005
【図４】
2017064984.tif 000006
【図５】
2017064984.tif 000007
【図６】
2017064984.tif 000008
【図７】
2017064984.tif 000009